(57)【特許請求の範囲】
【請求項１】
壁面に取り付けられた装置に隣接して光スプリッタ収納器を取り付けるようにした光スプリッタ収納器の取付機構であって、
前記装置の側面に取り付けて前記光スプリッタ収納器を取り付ける取付部材を備え、
前記取付部材は、前記光スプリッタ収納器を取り付ける支持部を有する本体部分と前記装置の側面に固定する取付片とで略Ｌ字状に形成された取付本体と、前記取付片に重ねて該取付片と共に前記装置の側面に固定具で固定されている連結部材とを備えており、
前記取付本体を上下反転させて前記取付片に連結部材を固定することで、前記装置の両側のいずれか一方の側面に前記光スプリッタ収納器を取り付けるようにしたことを特徴とする光スプリッタ収納器の取付機構。
【請求項２】
前記装置はＶＤＳＬ装置である請求項１に記載された光スプリッタ収納器の取付機構。
【請求項３】
前記連結部材は前記取付片に重ねて設けていて前記装置の底面に折り曲げた折り曲げ片を備えた略Ｌ字状に形成されており、前記装置の側面と底面にそれぞれ固定具で取り付けられるようにした請求項１または２に記載された光スプリッタ収納器の取付機構。
【請求項４】
前記取付部材の背面と壁面との間に緩衝材を設けた請求項１から３のいずれか１項に記載された光スプリッタ収納器の取付機構。
【発明の詳細な説明】
【技術分野】
【０００１】
本発明は、ＶＤＳＬ装置等の各種装置の側部に光スプリッタ収納器を取り付けるようにした光スプリッタ収納器の取付機構に関する。
【背景技術】
【０００２】
近年、パソコン等のデジタル機器が広く普及しており、業務用としても一般家庭内においても幅広く使用されている。これに伴い、オフィスや家庭内の各部屋に設けられたデジタル機器をより便利に使用するため、これらを相互接続してネットワークを構築することが行われている。相互接続されたデジタル機器間で送受信される情報は大容量の音声や画像等であり、これらを大量に高速送信させる送信媒体として石英系光ファイバやプラスチック光ファイバ等の光ファイバケーブルが使用されている。
【０００３】
例えば、集合住宅やビル等でＶＤＳＬ装置を使用する場合、光ファイバケーブルは曲げに弱く配線の取り回しが難しいため、光ファイバケーブルを集合住宅や複合ビル等の共用部分まで配線し、その先は光回線終端装置ＯＮＵ（Optical Network Unit）と集合型回線終端装置・ＶＤＳＬ集合装置（以下、ＶＤＳＬ装置という。）を用いて、各部屋まではメタルケーブル等の電話回線で接続して通信ネットワークを構成する方式が広く用いられている。
【０００４】
ＯＮＵは、光ファイバ加入者通信網において、パソコンなどの端末機器をネットワークに接続するための装置で、光ファイバの中を流れてきた光の信号を電気信号に変えたり、光ファイバへ送り出す電気信号を光の信号に変えたりする働きをする。集合住宅や複合ビル等の場合、ＶＤＳＬ装置は、光回線終端装置ＯＮＵと共にキャビネットに収納され、集合住宅や複合ビル等の共用部分に配置される。このようなＶＤＳＬ装置の一例として特許文献１に記載されたものが提案されている。
【０００５】
ところで、従来のＶＤＳＬ装置の設備として例えば図９に示すものがある。このＶＤＳＬ装置１は、集合住宅やビル等の建物の壁面にボルト等で固定されており、外部から配設された光ケーブル２がＶＤＳＬ装置１に接続されている。そして、ＶＤＳＬ装置１に併設して電源ユニットとして例えばＭＤＦボックス４等が設けられている。
送信される音声や画像等の各種情報は、ＶＤＳＬ装置１で分配され、屋内の各部屋のデジタル機器までブロードバンド回線等の敷設された電話回線を通信速度を保って送信されるようにしている。
ところで、図９に示す壁面設置型のＶＤＳＬ装置１に併設して、ＶＤＳＬ装置１で用いるＶＤＳＬ方式とは別方式の光配線方式を備えた光スプリッタ収納器３を設置しようとした場合、既設のＶＤＳＬ装置１の筐体内部に光スプリッタを配設することはできなかった。そのため、ＶＤＳＬ装置１に隣接する位置に光スプリッタ収納器３を併設して光ケーブル２で接続し、各戸に光ケーブルを配設する必要があった。
【先行技術文献】
【特許文献】
【０００６】
【特許文献１】特開２００７−２２７６８６号公報
【発明の概要】
【発明が解決しようとする課題】
【０００７】
ところで、上述した従来のＶＤＳＬ方式を採用したＶＤＳＬ装置１を備えた設備に加えて、別方式である光配線方式の光スプリッタ収納器３をＶＤＳＬ装置１に併設する設置する場合、ＶＤＳＬ装置１に隣接する壁面に例えばドリル等で穴を開けて取り付け用金物を壁面にボルト止め固定し、更に取り付け用金物に光スプリッタ収納器３を取り付け固定するようにしていた。
そのため、取り付け作業に手間がかかり作業時間が長く煩雑であるという欠点があった。しかも、壁面の材質や強度等によってドリルによる穴開けの作業時間が一層長くかかったり、壁面の一部が老朽化していたり損傷していたりしていると、ドリルによる穴開けや取り付け用金具の取り付けが困難であり、更に光スプリッタ収納器を装着した際の重量に耐えられない可能性もあった。
【０００８】
本発明は、このような問題点に鑑み、作業時間が短く簡単且つ確実に光スプリッタ収納器を壁面に取り付けることができるようにした光スプリッタ収納器の取付機構を提供することを目的とする。
【課題を解決するための手段】
【０００９】
本発明による光スプリッタ収納器の取付機構は、壁面に取り付けられた装置に隣接して光スプリッタ収納器を取り付けるようにした光スプリッタ収納器の取付機構であって、前記装置の側面に取り付けて前記光スプリッタ収納器を取り付ける取付部材を備え、前記取付部材は、前記光スプリッタ収納器を取り付ける支持部を有する本体部分と前記装置の側面に固定する取付片とで略Ｌ字状に形成された取付本体と、前記取付片に重ねて該取付片と共に前記装置の側面に固定具で固定されている連結部材とを備えており、前記取付本体を上下反転させて前記取付片に連結部材を固定することで、前記装置の両側のいずれか一方の側面に前記光スプリッタ収納器を取り付けるようにしたことを特徴とする。
本発明によれば、装置の側面に取付部材を取り付け、この取付部材に設けた支持部に光スプリッタ収納器を取り付けることができるため、壁面に穴を開けたり固定具を打ち込んだりする必要がなく短時間の作業で光スプリッタ収納器を設置できる。
なお、支持部としてボルトとネジ穴等、適宜の固定部材を採用できる。
【００１０】
また、本発明による光スプリッタ収納器の取付機構において、上述した装置はＶＤＳＬ装置であることを特徴とする。
本発明によれば、ＶＤＳＬ装置の側部に取付部材を取り付け、この取付部材に設けた支持部に光スプリッタ収納器を取り付けることができるため、光スプリッタ収納器を支持するために壁面に穴を開けたり固定具を打ち込んだりする必要がなく短時間の作業で光スプリッタ収納器を設置できる。
【００１１】
しかも、取付本体を上下反転させて連結部材を固定することで、装置のいずれかの側面に取付部材を選択的に取り付けできる。
【００１２】
また、壁面に取り付けた装置に対して、いずれか片側に障害物があっても、反対側に取付本体と連結部材を連結した取付部材を取り付けできる。
【００１３】
また、連結部材は取付片に重ねて設けていて装置の底面に折り曲げた折り曲げ片を備えた略Ｌ字状に形成されており、装置の側面と底面にそれぞれ固定具で取り付けられるようにしてもよい。
取付部材を連結部材の２面で装置の側面と底面に固定すれば、光スプリッタ収納器はその重量によらず堅固に支持できる。
【００１４】
また、取付部材の背面と壁面との間に緩衝材を設けてもよく、地震や風等によって取付部材が壁面に衝突したりして損傷することを防止できる。
【発明の効果】
【００１５】
本発明による光スプリッタ収納器の取付機構によれば、装置やＶＤＳＬ装置に光スプリッタ収納器を併設する際、装置やＶＤＳＬ装置に取付部材を連結することで光スプリッタ収納器を取付部材の支持部に取り付けて装置やＶＤＳＬ装置で支持することができる。そのため、光スプリッタ収納器を壁面に取り付けた装置やＶＤＳＬ装置に併設して取り付ける場合でも、壁面にドリルでボルト穴を空けたり壁面に固定具で固定したりする必要がないため、短い作業時間で簡単且つ容易に取り付けできる。
【図面の簡単な説明】
【００１６】
【図１】本発明の実施形態による取付機構によってＶＤＳＬ装置に光スプリッタ収納器を取り付けた状態を示す正面図である。
【図２】ＶＤＳＬ装置の側面図である。
【図３】ＶＤＳＬ装置を装着するための装着フレームを壁面に取り付けた斜視図である。
【図４】ＶＤＳＬ装置の下面を示す部分斜視図である。
【図５】取付部材の取付本体と連結部材を示す図であって、（ａ）は分離状態の正面図、（ｂ）は取付本体と連結部材を連結した取付部材をＶＤＳＬ装置の左側に装着可能に配置した図、（ｃ）は同じく取付部材をＶＤＳＬ装置の右側に装着可能に配置した図である。
【図６】壁面に取り付けたＶＤＳＬ装置の側面に取付部材を固定した図である。
【図７】図６に示すＶＤＳＬ装置に取付部材の連結部材を装着した状態を下方から見た図である。
【図８】光スプリッタ収納器を取付部材に固定した状態を示す要部正面図である。
【図９】従来技術によるＶＤＳＬ装置とＭＤＦボックスを壁面に装着した状態を示す図である。
【発明を実施するための形態】
【００１７】
以下、本発明の実施形態による光スプリッタ収納器の取付機構について図１から図８により説明する。
図１は例えば建物の壁面９にＶＤＳＬ装置１０と光スプリッタ収納器１１を並列に装着した状態を示す図であり、ＶＤＳＬ装置１０の例えば右側の側面には取付部材１２がボルトによって固定され、この取付部材１２に光スプリッタ収納器１１が支持されている。
ここで、ＶＤＳＬ装置１０は内部に図示しない電源が収納され、ＶＤＳＬ方式により、外部から接続される光ケーブル２をＶＤＳＬ装置１０で分配して各戸に敷設された電話回線によって情報を各戸に送信する。
これに対し、光スプリッタ収納器１１は内部に図示しない光スプリッタが配設され、ＶＤＳＬ装置１０と異なる光配線方式により、外部の光ケーブル２が光スプリッタ収納器１１内部に設けられた光スプリッタによって複数に分割されて複数の分配された光ケーブルが各戸に延びて敷設されている。  
【００１８】
以下、ＶＤＳＬ装置１０に光スプリッタ収納器１１を取り付けるための取付部材１２について詳細に説明する。
先ず、図２及び図３において、建物の壁面９にＶＤＳＬ装置１０用の装着フレーム１４が例えばボルト１６等の固定具によって固定されている。図３に示す装着フレーム１４は、例えば略四角形状のフレーム部１４ａの４つの角部からフレーム部１４ａに直交する方向にアーム部１４ｂ、１４ｃが延在して構成されている。図３において、上側の一対のアーム部１４ｂにはボルト挿通用のスリット１５が形成され、下側の一対のアーム部１４ｃはＶＤＳＬ装置１０を着座させるために断面Ｌ字状とされている。
そして、装着フレーム１４の対向する各一対のアーム部１４ｂ、１４ｃの間にＶＤＳＬ装置１０が上側から挿入されて装着されている。図２において、上側のアーム部１４ｂのスリット１５を通して固定ボルト１６をＶＤＳＬ装置１０の側面１０ａのネジ穴１７ａにねじ込むことでＶＤＳＬ装置１０は装着フレーム１４に固定されている。
【００１９】
また、図２及び図４に示すＶＤＳＬ装置１０は例えば略直方体箱状に形成されており、一方の側面１０ａには固定用ボルト１６をねじ込むためのネジ穴１７ａが形成されている。このネジ穴１７ａは後述する取付部材１２をボルト１６によってＶＤＳＬ装置１０の一方の側面１０ａにねじ込み固定するためのものである。ネジ穴１７ａはＶＤＳＬ装置１０の側面１０ａに対向する側面１０ｂにも対称となる位置に形成されている。
また、図４において、ＶＤＳＬ装置１０の下面１０ｃには、両側面１０ａ、１０ｂに近接する位置に雄ねじ１８がそれぞれ対称となる位置で外部に突出して固定されている。
【００２０】
次に光スプリッタ収納器１１の取付部材１２について図５によって説明する。
図５（ａ）において、取付部材１２は、光スプリッタ収納器１１を固定するための略Ｌ字状をなす板状の取付本体１９と、取付本体１９の折り曲げられた取付片１９ａにボルト等で着脱可能に固定されて一体化される略Ｌ字状に曲げられた連結部材２０とで構成されている。取付本体１９は平板状の本体部分１９ｂに光スプリッタ収納器１１をボルト１６で固定するためのネジ穴２２が支持部として形成されている。また、本体部分１９ｂに開口２１も設けられている。
そして、取付本体１９の取付片１９ａと連結部材２０を重ねてボルト等で連結した状態で、共通する例えば２つの挿通孔２３が形成され、ボルト１６を挿通可能としている。また、連結部材２０の取付片１９ａから外れた位置で折り曲げた折り曲げ片２０ａはＶＤＳＬ装置１０の底面１０ｃに当接可能であり、底面１０ｃから突出する雄ねじ１８を挿通可能な挿通孔２５が設けられている。
【００２１】
ここで、取付本体１９は本体部分１９ｂと同一平面内で１８０°回転させて使用可能であり、取付本体１９の取付片１９ａが左右何れかにある状態で取付片１９ａに連結部材２０をボルト１６等で連結することで、図５（ｂ）、（ｃ）に示すように一体化できる。そして、取付部材１２は、図５（ｂ）に示すように連結部材２０が取付本体１９の右側の取付片１９ａに連結された状態で、ＶＤＳＬ装置１０の左側の側面１０ｂに連結でき、図５（ｃ）に示すように連結部材２０が取付本体１９の左側に連結された状態で、ＶＤＳＬ装置１０の右側の側面１０ａに連結できる（図１参照）。
【００２２】
そして、取付部材１２の取付片１９ａに連結部材２０が連結された状態で、図６及び図７に示すように、ＶＤＳＬ装置１０の側面１０ａまたは１０ｂのネジ穴１７ａに対して取付片１９ａ及び連結部材２０に設けた挿通孔２３を通してボルト１６をねじ込むと共に、ＶＤＳＬ装置１０の底面１０ｃの側面１０ａまたは１０ｂ側端部近傍に設けた雄ねじ１８に連結部材２０の折り曲げ片２０ａの挿通孔２５を嵌挿させてナット２４で固定することで、取付部材１２をＶＤＳＬ装置１０に連結できる。
なお、図８に示すように、光スプリッタ収納器１１の蓋２７ａを開いた筐体２７には適宜数、例えば四隅と上下中央に複数のネジ穴２８が形成されており、ボルト１６を筐体２７のネジ穴２８を通して取付部材１２の本体部分１９ｂに形成したネジ穴２２に螺合させることで（図５，図６参照）、光スプリッタ収納器１１を取付部材１２に取り付けできる。これらネジ穴２８ａを支持部とする。
【００２３】
本実施形態による光スプリッタ収納器１１の取付機構は上述の構成を備えており、次にその取付方法について説明する。
建物の壁面９に予めＶＤＳＬ装置１０が装着フレーム１４により取り付けられているものとする。
このＶＤＳＬ装置１０を取り付けるためには、壁面９にドリル等で穴を開けて、図３に示すように装着フレーム１４の挿通孔を通してボルト１６を穴に螺合して装着フレーム１４を固定する。この装着フレーム１４にＶＤＳＬ装置１０が上から嵌挿されている。そして、ＶＤＳＬ装置１０の両側面１０ａ、１０ｂにおいてネジ穴１７ａに上部アーム部１４ｂのスリット１５を通してボルト１６をねじ込み固定している。
【００２４】
次に、このような既設のＶＤＳＬ装置１０に対して光スプリッタ収納器１１を取り付ける取り付け方法について説明する。
まず、図２に示すＶＤＳＬ装置１０の両側面１０ａ、１０ｂに装着フレーム１４の上部アーム部１４ｂをスリット１５を通して固定しているボルト１６をネジ穴１７ａから取り外す。そして、例えば図５（ｃ）に示すように取付本体１９の左側に配設した取付片１９ａに連結部材２０をボルト止めした取付部材１２を選択し、略Ｌ字型の連結部材２０がＶＤＳＬ装置１０の一方の側面１０ａと底面１０ｃに当接するように位置決めする。
【００２５】
位置決めに際して、連結部材２０の折り曲げ片２０ａの挿通孔２５を、図４に示すＶＤＳＬ装置１０の底面１０ｃから突出する雄ねじ１８に挿通させて、ナット２４を締め込んで折り曲げ片２０ａを底面１０ｃに固定する。
そして、図６に示すように、取付片１９ａ及び連結部材２０の挿通孔２３を通して側面１０ａのネジ穴１７ａにボルト１６を挿通して螺合させる。
こうして、図７に示すように、取付本体１９及び連結部材２０からなる取付部材１２はＶＤＳＬ装置１０の側面１０ａ及び底面１０ｃに連結固定される。
【００２６】
この状態で、図８に示すように、光スプリッタ収納器１１の筐体２７の蓋２７ａを開き、筐体２７の背面に設けた複数のネジ穴２８と本体部分１９ｂのネジ穴２２にボルト１６を螺合させることで、光スプリッタ収納器１１を取付本体１９に支持できる。こうして、光スプリッタ収納器１１をＶＤＳＬ装置１０に併設してＶＤＳＬ装置１０に取付部材１２を介して連結して支持できる。
【００２７】
なお、上述の取り付け方法では、ＶＤＳＬ装置１０の右側に取付部材１２を連結して光スプリッタ収納器１１を取り付けるようにしたが、これに代えてＶＤＳＬ装置１０の左側に装着することもできる。そのためには、取付部材１２として、図５（ｂ）に示すように取付本体１９ｂの右側に取付片１９ａを位置させて連結部材２０を固定したものを、上述の取り付け方法と同一の手順によってＶＤＳＬ装置１０の左側の側面１０ｂに取付部材１２を連結し、光スプリッタ収納器１１の筐体２７をボルト１６によって本体部分１９ｂに螺合して固定すればよい。
【００２８】
上述のように、本実施形態による光スプリッタ収納器１１の取付部材１２によれば、ＶＤＳＬ装置１０に光スプリッタ収納器１１を併設する際、ＶＤＳＬ装置１０の側面１０ａ、１０ｂに取付部材１２を連結して、取付部材１２の取付本体１９に光スプリッタ収納器１１の筐体２７をボルト１６でネジ止めして支持できるから、光スプリッタ収納器１１を壁面９上でＶＤＳＬ装置１０に併設する場合でも、壁面９にドリル等で穴を空けて固定する必要がないため、従来よりも短い作業時間で簡単且つ容易に取り付けできる。
【００２９】
なお、本発明による取付部材１２による光スプリッタ収納器１１の取付機構は上述の実施形態に限定されるものではなく、本発明の要旨を変更しない限り適宜の変更を採用することができる。
例えば、本実施形態による光スプリッタ収納器１１の取付部材１２では、取付本体１９の裏面と壁面９との間に耐候性のゴムやバネ等の弾性部材を緩衝材として配設してもよい。これによって取付部材１２が壁面９に接触することを回避できて振動を防止できる。
【００３０】
また、上述の実施形態による取付部材１２では、ＶＤＳＬ装置１０の側面１０ａ、１０ｂにネジ穴１７ａを設けて、底面１０ｃに雄ねじ１８を突出させて取付部材１２の連結部材２０とボルト１６及びナット２４によって固定するようにしたが、本発明はこのような構成に限定されることなく、側面１０ａ、１０ｂに雄ねじ１８を突出させ、底面１０ｃにネジ穴１７ａを設けて取付部材１２を固定するようにしてもよい。或いは、側面１０ａ、１０ｂと底面１０ｃに対して共に雄ねじ１８またはネジ穴１７ａのいずれかを設けてナット２４またはボルト１６によって固定してもよい。
また、ＶＤＳＬ装置１０の側面１０ａ、１０ｂ及び底面１０ｃと取付部材１２とを固定する固定具はボルト１６とナット２４に限らず適宜の部材を採用できる。
【００３１】
また、上述の実施形態では、取付部材１２としてそれぞれ略Ｌ字状の板材からなる取付本体１９と連結部材２０をボルト１６等で着脱可能に連結して構成したが、連結部材２０を用いずに取付本体１９だけで取付部材１２を構成して、この場合、取付片１９ａを連結部材としてＶＤＳＬ装置１０の側面１０ａ、１０ｂに取り付けるようにしてもよい。この場合でも、左右の側面１０ａ，１０ｂに取り付けることができる。
【００３２】
なお、上述の実施形態では、ＶＤＳＬ装置１０の左右の側面１０ａ、１０ｂに取付部材１２を介して光スプリッタ収納器１１を取り付けるように構成したが、ＶＤＳＬ装置１０の両側面１０ａ，１０ｂに同時に取り付け部材１２と光スプリッタ収納器１１を取り付けても良い。本明細書では、これら左右側面を含めて側部というものとする。
また、本発明は、光スプリッタ収納１１及び取付部材１２は必ずしもＶＤＳＬ装置１０に取り付け固定する構成に限定されるものではなく、ＶＤＳＬ装置１０に代えて他の適宜の装置、例えば電源装置や電源ユニットやその他の設置機器等に連結するようにしてもよい。
また、装着フレーム１４に取付部材１２を固定してもよい。
【符号の説明】
【００３３】
２  光ケーブル
９  壁面
１０  ＶＤＳＬ装置
１０ａ、１０ｂ  側面
１０ｃ  底面
１１  光スプリッタ収納器
１２  取付部材
１４  装着フレーム
１６  ボルト（固定具）
１７ａ  ネジ穴（固定具）  
１８  雄ねじ（固定具）
１９  取付本体
１９ａ  取付片
１９ｂ  本体部分
２０  連結部材
２１  開口（支持部）
２３，２５  挿通孔
２４  ナット（固定具）
【図１】
0005811455.tif 000002
【図２】
0005811455.tif 000003
【図３】
0005811455.tif 000004
【図４】
0005811455.tif 000005
【図５】
0005811455.tif 000006
【図６】
0005811455.tif 000007
【図７】
0005811455.tif 000008
【図８】
0005811455.tif 000009
【図９】
0005811455.tif 000010